(57)【要約】      （修正有）【課題】折畳み机の脚を立てて使用する場合、脚が不意に倒れて使用者を怪我させことがなく、かつ、ＰＬ法に基づく安全基準をクリヤするようにした折り畳み机を提供する。【解決手段】天板の裏面において、この天板の対向する夫々の長辺に沿って一対のケタを固設するとともに、これらのケタの両端近傍に夫々脚を設ける。ケタの間に架設した第一の梁と、脚の間に架設した第二の梁と９間にステーを架設する。ステーは、二つの片割れが、曲折部を構成するピンジョイントを介して折り曲げ自在に連結され、曲折部にストッパを覆設する。【選択図】図１
0003168054.tif 000002
【実用新案登録請求の範囲】
【請求項１】
天板の裏面において、この天板の対向する夫々の長辺に沿って一対のケタを固設するとともに、
これらのケタの両端近傍に夫々脚を設け、
これらの脚を夫々起立又は折畳み可能にするためにステーを設けた折畳み机において、
前記ステーの曲折部にストッパを覆設することを特徴とする折畳み机。
【請求項２】
前記ストッパには、挿着又は脱着自在にピンを設けることを特徴とする請求項１記載の折畳み机。
【考案の詳細な説明】
【技術分野】
【０００１】
この考案は、脚部を折り畳み又は起立可能とし、かつ、脚部を立てて使用する時には、脚部が突然折れることのないようにストッパを備えた折り畳み机に関する。詳しくは、折り畳み机を収納する時は、脚部を折り畳み可能とし、一方、脚部を立てて使用する際には、幼児が思いがけなく脚部に力を加えるようなことがあっても脚部が突然折れて倒れることのないように、脚部に屈曲防止用のストッパを備えた折り畳み机に関する。
【背景技術】
【０００２】
従来、事務机、座卓や経机等は天板裏面に一定の長さの脚が設けられており、立ち机又は座り机として専用されている。しかしながら、このような脚を有する机は使用時には座りが安定しているが、机を使用しないときには脚の長さの分大きな収納スペースを必要とする。かかる収納スペースを確保できない団地等では、机の他収容すべき物を収納することができなくなったり、居住空間が狭められたりする。あるいは、机の運搬通路が狭い場合、机の嵩張るため机の脚を壁等にぶつけて脚や壁を傷付けるようなこともある。
【０００３】
従来の折り畳み机の例を図１０に示し、折り畳み机Ｔは、長方形の化粧板からなる二点鎖線で示す天板１を有し、この裏面において、長辺に沿って一対のケタ２、２が、天板１に一体的に固設される。折り畳み机Ｔのフレーム構造は、左右のケタ２、２が長辺に沿って延び、これらを連結する第一の梁３、３が前後に設けられ、かつ、ケタ２の前後両端部において継ぎ手４を介して脚５は、ピンジョイント４１を支点として回動し、折り畳み自在に設けられる。左右の脚５、５には、これらの下端部を連結する梁６が設けられ脚部を補強する。さらに、この梁６の上方で平行に左右の脚５、５を連結する第二の梁７が設けられ脚部を補強する。そして、第一の梁３と第二の梁７を連結するようにステー８が左右に夫々設けられ、かつ、左右のステー８、８を連結する梁９が設けられる。このように、第一の梁３と第二の梁７との間にリンク機構からなるステー３を架設することによって、天板１の裏側において脚５を折り曲げ、折り畳むことが可能となる。一方、折り畳み机を立てて使用する際、ステー８は第一の梁３と第二の梁７との間の突っ支い棒としての機能を有し、ケタ２と脚５との角度を直角に保つ。このような構造で床からの高さが約３３０ｍｍの折り畳み机を、幼稚園で脚を立てて座り机として使用している。例えば、複数の園児が机の天板を囲んで折り紙などをしている時に、不意に園児の一人が梁６を足で踏みながら、梁９を手前側へ矢印Ａ方向に引っ張ったために、左右のステー８、８がくの字に曲がり、突然脚５、５が継ぎ手４のピンジョイント４１を支点として回動して園児の側へ倒れた。その時、園児の足が第二の梁７と梁６戸の間に挟まれて怪我した。近年では、このような折り畳み机の製造者には、ＰＬ法に基づく安全基準に合格する物を作ることが義務づけられており、製造者にとっては使用者を怪我させることなく折り畳み机を安全に使ってもらわなければならない。
【０００４】
ところで、折畳み机については数々の構造のものが提案されており、本件出願人は脚部の高さを伸縮可能にした折畳み机に関する考案を提案している（例えば、特許文献１参照）。この折畳み机は、天板の裏側に四本の基脚を夫々折畳み又は起立可能に設けた折畳み机であって、前記四本の基脚のほぼ先端部に夫々ロックピンジョイントを設け、これらのロックピンジョイントによって前記四本の基脚に夫々延長脚を連結することを特徴とする。また、同様に脚部の高さを伸縮可能にした折畳み机に関し、一旦脚部の長さを調節し、固定した後は”ガタつき”がなく、しかも、天板の揺れのない以下のような考案を提案している（例えば、特許文献２参照）この折畳み机は、天板の裏面の四隅部に、基脚を起立又は折畳み可能に設け、かつ、前記基脚に延長脚が連結される折畳み机であって、前記基脚は中空パイプ材からなり、前記基脚の中空部に前記延長脚が嵌入され、かつ、前記基脚のほぼ先端部にロックピンジョイントを設けるとともに、このロックピンジョイントによって前記延長脚が前記基脚に固設され、かつ、前記基脚の外周面に所定長の凹みが形成されることを特徴とする折畳み机である。
【０００５】
【特許文献１】実用新案登録第３１４１１２９号公報
【特許文献２】実用新案登録第３１４２９６０号公報
【考案の開示】
【考案が解決しようとする課題】
【０００６】
以上の通りであって、従来の折り畳み机には次のような問題点がある。
【０００７】
折り畳み机を幼稚園で脚を立てて座り机として使用することがある。複数の園児が天板を囲んで折り紙などをしている時に、不意に園児の一人が梁を足で踏みながら、梁を手前側に引っ張ったために、ステーが手前側にくの字に曲がって突然脚が園児側へ倒れたことがあった。その時、園児の足を梁の間に挟んで怪我した。近年では、このような折り畳み机の製造者にはＰＬ法に基づく安全基準に合格する物を作ることが義務づけられている。この園児の例では、製造者がＰＬ法に基づく安全基準を遵守する配慮に欠け、園児を守ることができなかった。
【０００８】
そこで、本考案の折畳み机は、このような従来の抱える問題点を解決するためになされたもので、折畳み机の脚を立てて使用している時に、脚が不意に倒れて使用者を怪我させことのないように、かつ、ＰＬ法に基づく安全基準をクリヤする折り畳み机を提供することを目的としている。
【課題を解決するための手段】
【０００９】
そこで、本考案者は、巻きバネを使用したステーが幼児の弱い力でも屈曲することがあることを知り、そのためには脚を折り曲げる機能を有するステーを、機械的に確実にロックするためのストッパを設ける着想へと展開し、これに基づき折畳み机を試作したところ確実にステーを真直ぐに保持することができるという知見を得た。本考案者のストッパを備える折畳み机はかかる知見を基に具体化したもので、請求項１の考案は、天板の裏面において、この天板の対向する夫々の長辺に沿って一対のケタを固設するとともに、これらのケタの両端近傍に夫々脚を設け、これらの脚を夫々起立又は折畳み可能にするためにステーを設けた折畳み机において、前記ステーの曲折部にストッパを覆設することを特徴とする折畳み机である。請求項２の考案は、請求項１の考案の上記特徴に加えて、前記ストッパには、挿着又は脱着自在にピンを設けることを特徴とする折畳みである。
【考案の効果】
【００１０】
本考案の折畳み机は、脚を折り畳み或いは曲げ伸ばしの機能を有するステー部にストッパを付設することによって、折り畳み机の脚を立てて使用する場合、脚が突然倒れて使用者を怪我させることを防止する。また、ＰＬ法に基づく安全基準をクリヤし、使用者に安心感を持たせる等の効果を奏するものである。
【考案を実施するための最良の形態】
【００１１】
本考案の実施の形態を、添付図面に示した本考案の実施例に基づいて以下に具体的に説明
する。
【実施例】
【００１２】
先ず、本実施例について、図１〜図８を参照しながら説明する。図１は、ステーにストッパを備える折畳み座り机の全体斜視図である。図２は、脚部を折り畳んだ状態を示すストッパを備える折畳み座り机の全体斜視図である。図３は、ストッパ部品の詳細図である。図４は、ステーが真直し或いは折れた状態を示す斜視図である。図５は、ステーにストッパを付設し、ストッパをロックした状態を示す斜視図である。図６は、ステーのストッパのロックを解除した状態を示す斜視図である。図７は、ステーの他の実施態様を示す図である。図８は、座り机の他の実施例を示す全体図である。図９は、立ち机の実施例を示す全体図である。
【００１３】
本実施例のストッパを備える折畳み座り机の天板の寸法は例えば、長辺で１８００ｍｍ、短辺で４５０ｍｍであり、高さは３００ｍｍ〜３３０ｍｍである。折畳み机の脚を立てた状態を図１に示し、折り畳み机Ｔは、二点鎖線で示す長方形の化粧板からなる天板１を有し、この裏面において、長辺に沿って前後方向に棒状のケタ２、２が、天板１に一体的に固設される。以下、本実施例の折り畳み机は天板の長辺に沿って前後方向と称し、短辺に沿って左右方向と称し、脚と天板の方向を上下方向と称する。折り畳み机Ｔのフレーム構造は、左右のケタ２、２が前後方向に延び、これらを連結する第一の梁３、３が前後に２箇所設けられ、かつ、ケタ２の前後両端部において継ぎ手４を介して脚５がピンジョイント４１を支点として回動し、脚５が折り畳み自在に設けられる。左右の脚５、５には、これらの下端部を連結する梁６が設けられ脚部を補強する。さらに、この梁６と平行で上方に左右の脚５、５を連結する第二の梁７が設けられ脚部を補強する。そして、第一の梁３と第二の梁７を連結するようにステー８が左右に夫々設けられ、これらの長手中央部にストッパ１０を備える。また、左右のステー８、８を連結する梁９が設けられる。このように、第一の梁３と第二の梁７との間にステー３をリンク機構として傾斜させて架設することによって、天板１の裏側において脚５を折り曲げ、折り畳むことが可能となる。折り畳み机を立てて使用する場合、ステー８は、第一の梁３と第二の梁７との間の突っ支い棒としての機能を有し、ケタ２と脚５との角度を直角に保つ。右のステー８には、屈曲部位を覆うようにストッパ１０を設け、この詳細は後述する。
【００１４】
次に、ステーにストッパを付設した折畳み机の脚を折り畳み、天板を外したフレーム構造を図２に示す。棒状のケタ２が前後方向に延び、これらの両端部において裏側へ脚５が内側に折れて重なり、左右の脚５、５の下端部を連結する梁６は内側で梁２、２の裏側に接触する。ステー８は図示のように長手中央部位において折れ曲がって裏側同士が向き合って重なり、右のステー８の折れた部位の裏側にストッパ１０を示す。ここで、ステー８の一方端は第一の梁３に回動自在にピンジョイントジョイントにより連結され、他方端は第二の梁７に回動自在にピンジョイントジョイントにより連結されている。
【００１５】
図３にストッパの部品図を示し、同図（ａ）はその展開図であり、同図（ｂ）は展開部品を折り曲げた状態の斜視図である。同図（ａ）の展開図は、面１１、面１２、片１３の夫々異形状に三分割され、これらの境界を折れ目Ｃ、Ｄが設けられる。そして、面１１には小さい穴１１１、１１２及び他に穴１１３を空ける。同図（ｂ）の斜視図は、折り目Ｂの部位から面１１に対して直角に面１２を折り曲げ、更に折り目Ｃの部位から面１２に対して直角に片１３を折り曲げる。面１１に小さい穴１１１、１１２を開け、穴１１２には外れることのないように鎖を介してピン１５を係留する。
【００１６】
以上のようにステーにストッパを付設した折り畳み机が構成され、以下に各部材の作用について、先ず、ステーについて説明する。ステーを表側から見ると、図１に示したように、ステー８の上方端は第一の梁３に回動自在にピンジョイントジョイントにより連結され、下方端は第二の梁７に回動自在にピンジョイントジョイントにより連結されている。これらの連結状態を詳しく説明すると、第一の梁３に溶着されたコ字具８３のピンジョイント８５にステー８の上方端が連結され、第二の梁７に溶着されたコ字具８４のピンジョイント８６にステー８の下方端が連結されている（図６ｂ参照）。この状態を拡大して、ステーを裏側から見た状態を図４に示す。同図（ａ）ではステー８が第一の梁３と第二の梁７との間で真直ぐに延びた状態を示し、同図（ｂ）ではステー８がくの字に屈曲した状態を示す。同図（ａ）では、ステー８の一方の片割れ８１が第一の梁３に溶着されたコ字具８３のピンジョイント８５に連結され、他方の片割れ８２が第二の梁７に溶着されたコ字具８４のピンジョイント８６に連結されていることが解る。ステー８の一方の片割れ８１と他方の片割れ８２とは、長手中央部の曲折部においてピンジョイント８９を介して回動自在に連結されている。ステー８が第一の梁３と第二の梁７との間で突っ張って真直ぐに延びた状態を示しており、ステー８は、第一の梁３と第二の梁７との間において一方の片割れ８１の係止部８７と他方の片割れ８２の係止部８８との間で巻バネ２０が真直ぐに伸びて緊張状態を保ちながら架設されている。この状態で巻バネ２０はステー８の一方の片割れ８１と他方の片割れ８２との間で引っ張られているので、ステー８は、一方の片割れ８１と他方の片割れ８２は中央のピンジョイント８９の部位で折れ曲がることなく巻きバネ２０の戻す力に対抗するように、堅固に真直状態を保っている。次に、ステー８が真直ぐに伸びたこの状態から、脚５の梁６を足で踏んで固定し、次に脚部の外側の矢印Ａ方向に引くと、ステー８は中央のピンジョイント８９の部位から折れ、くの字状に曲がる。この状態を同図（ｂ）に示し、このくの字状に屈曲するのは、ステーの中央部及び両端部がピンジョイント継ぎ手によって回動自在に連結されているからである。即ち、ステー８の一方の片割れ８１と他方の片割れ８２は、中央部のピンジョイント８９を介して回動自在に連結され、ステー８の一方の片割れ８１が第一の梁３のピンジョイント８５に回動自在に連結され、ステー８の他方の片割れ８２が第二の梁７のピンジョイント８６に回動自在に連結されている。
【００１７】
次に、ステーに付設したストッパの作用について説明する。ストッパ１０を表側から見た図１に示したように、ステー８の長手方向中央部の曲折部において、ステー８の外周面にストッパ１０を覆設し、これを拡大して図５（ａ）に示す。ストッパ１０は、ステー８の一方の片割れ８１と他方の片割れ８２とを連結するピンジョイント８９の部位を表側から覆うように設けられる。ストッパ１０は、ステー８の他方の片割れ８２に回動自在に設けられ、この部位においてストッパ１０は面１１の穴１１２に挿着したピンジョイント１４を支点として矢印Ｆ、Ｆの方向へ回動自在となる。先ず、ステーの屈曲を防止するストッパの作用を説明する。ストッパ１０の面１１の左方端部において、面１１の穴１１１へピン１５を挿着する。ピン１５は、脱落しないように鎖を介してピンジョイント１４に係留されている。この状態におけるピン１５を挿着した状態を解り易く、裏側から見た同図（ｂ）に示す。ステー８の一方の片割れ８１と他方の片割れ８２とがピンジョイント８９の上下に連結されている。ストッパ１０は、その面１１がピンジョイント１４を支点として回動自在に他方の片割れ８２に螺着されるとともに、片１３が一方の片割れ８１の側面端８１１を鍵状に抱くように設けられる。この時、ストッパ１０の穴１１１を貫通したピン１５の先端部が一方の片割れ８１の側面８１２の外側に接して突き出る。このようにして、ストッパ１０がステー８に装着され、片１３が片割れ８１の側面端を鍵状に引掛けているので、ストッパ１０がステー８から外れることがない。同時に、ピン１５は一方の片割れ８１の側面８１２の外側に突き出ているのでストッパ１０はステー８の左右方向に外れるようなことがない。即ち、ステー８は、ストッパ１０によって裏表方向又は左右方向に機械的にロックされ、ステー３は屈曲しない。従って、図１に示すように、園児が梁６を足で踏みながら、梁９を手前側矢印Ａ方向に引っ張っても脚５が折れて倒れるようなことがない。なお、図１には、ストッパ１０を左方のステー３の片側のみに装着したが、右方のステー３の両側に装着することでもよい。
【００１８】
一方、ストッパのロックを解除した状態を図６に示し、その作用について説明する。ストッパ１０を表側から見た図６（ａ）に示す。ストッパ１０の面１１の右方端部において、面１１の穴１１３へピン１５を挿着する。この状態におけるピン１５を挿着した状態を解り易く、裏側から見た同図（ｂ）に示す。この時、ステー８の表側の穴１１３を貫通したピン１５の先端部が他方の片割れ８２の側面８２１の外側に接して突き出る。このようにして、ストッパ１０がステー８に装着され、ピン１５が他方の片割れ８２の側面８２１の外側に突き出ているのでストッパ１０が左右方向に動かない。この状態では、ストッパ１０の片１３が片割れ８１の側面端８１１を鍵状に引掛けないので、一方の片割れ８１がピンジョイント８９を支点として屈曲する。即ち、ストッパ１０の穴１１３へピン１５を挿着することによって、ピンジョイント８９を支点としてステー８を折り曲げ、曳いては確実に脚５を折り畳むことができ、図２に示すように折り畳み机が扁平状態になる。
【００１９】
以上、図１〜６までステーを梁と梁の間にリンク機構として架設する使い方について説明したが、図７に示すような使い方もある。ステー８が脚５とケタ２との間で真直ぐに延びた状態を示し、ステー８の一方の片割れ８１を直接上方のケタ２に固設し、他方の片割れ８２を直接下方の脚５に固設する。詳しくは、一方の片割れ８１の柄部８１３をケタ２に溶着或いは螺着し、他方の片割れ８２の柄部８２３を脚５に溶着或いは螺着する。折り畳み机によっては、左右のケタ間の梁、或いは左右の脚間の梁を設けない場合があり、このような場合に本図のようにステーを直接ケタと脚との間に架設する。図には省略したが、図１〜６と同様にステー８の長手中央部にストッパ１０を設ける。
【００２０】
次に、ストッパを備える折畳み机を、座り机として使用する他の実施態様について説明する。図８では、天板を省略したが、天板の寸法は例えば、長辺で１８００ｍｍ、短辺で４５０ｍｍであり、高さは３００ｍｍ〜３３０ｍｍである。本実施態様の図１との主な相違点は、継ぎ手を設けることなく梁に直接脚部を固着するとともに、脚部の左右コーナ部に湾曲部を設けたところにある。本折り畳み机Ｔのフレーム構造は、左右のケタ２、２が前後方向に延び、これらを連結する第一の梁３、３が前後に２箇所設けられる。左右の脚５、５は底部が梁６によって一体化連結されるとともに、この梁６に平行で上方に左右の脚５、５を連結する第二の梁７が設けられ脚部を補強する。左右の脚の底部に設けた梁６の左右は角部が丸まった湾曲部Ｒを備える。更に左右のケタ２、２の前後両端部近傍において、第一の梁３、３に夫々平行に梁３１、３１が設けられ、左右のケタ２、２を連結している。ここで、梁３１の左右端部が当接するケタ２の部位に軸受２１、２１が設けられ、これらの軸受に梁３１が回転可能に貫設されている。このような梁の構成からなり、脚５、５の上端部は、梁３１の左右部位Ｅ、Ｆにおいて、梁３１に夫々溶着されている。そして、第一の梁３と第二の梁７を連結するようにステー８が設けられ、この長手中央部にストッパ１０を備える。ここで、ステー８及びストッパ１０は、図１〜図６に示した実施態様の場合と同様の構成を備えており、ステー８の第一の片割れ８１の上方端は第一の梁３に回動自在にピンジョイントジョイントにより連結され、第二の片割れ８２の下方端は第二の梁７に回動自在にピンジョイントジョイントにより連結されている。なお、ステー８の第二の片割れ８２の側面には、レバー９０を備える。
【００２１】
次に、この折畳み座り机の作用について説明する。先ず、ストッパ１０のロックを解除し、次に脚部の梁６を足で踏みながら、ステー８の第二の片割れ８２に備えるレバー９０を手前側に引っ張ると、ステー８はピンジョイント８９の部位から手前側にくの字状に折れる。この時、脚５、５の先端は部位Ｅ、Ｆにおいて梁３１に固着されており、一方、梁３１は軸受２１、２１を介して回動する。このように脚部と梁とが構成され、ステー８のレバー９０を手前側に引っ張ると、左右の脚５、５と底部の梁６が一体化した脚部が軸受２１、２１を支点として内側へ回動するので、脚部を梁３の裏側に潜らせるように折り畳むことができる。その他、脚部のコーナ部に湾曲部Ｒを設けることによって、床が例えば畳敷き、或いは化粧板敷きの場合に、脚部のコーナによって傷めることが無く、所謂、畳に優しい折畳み座り机を実現することができた。
【００２２】
その他、ストッパ１０を備える折畳み机を立ち机として利用する場合があり、その実施態様を図９に示す。本実施態様のストッパを備える折畳み机は、図１に示す折畳み机の脚部を長くしたもので、天板の寸法は例えば、長辺で６００ｍｍ、９００ｍｍ、１２００ｍｍ、１５００ｍｍ、或いは１８００ｍｍがあり、短辺で３００ｍｍ、４５０ｍｍ、６００ｍｍ、７５０ｍｍ、９００ｍｍがあり、高さは７００ｍｍ〜１１００ｍｍまで可能である。
【産業上の利用可能性】
【００２３】
なお、本考案の脚部にストッパを備える折畳み机の使途は、幼稚園等で座り机として使用する他に、事務所や店頭のカウンター等で使用する立ち机の他、デパート、スーパーマーケット等の店頭で、商品を陳列する棚として使用することもできる。この場合、脚部に不用意に力が加わっても、ステ−にストッパを付設するので、脚が折れて折畳み机が倒れるようなことがないので安全である。
【図面の簡単な説明】
【００２４】
【図１】本考案の実施例におけるステーにストッパを備える折畳み座り机の全体斜視図である。
【図２】同上、脚部を折り畳んだ状態を示すストッパを備える折畳み座り机の全体斜視図である。
【図３】同上、ストッパ部品の詳細図である。
【図４】同上、ステーが真直し或いは折れた状態を示す斜視図である。
【図５】同上、ステーにストッパを付設し、ストッパをロックした状態を示す斜視図である。
【図６】同上、ステーのストッパのロックを解除した状態を示す斜視図である。
【図７】同上、ステーの他の実施態様を示す図である。
【図８】同上、折畳み座り机の他の実施例を示す全体図である。
【図９】同上、立ち机の実施例を示す全体図である。
【図１０】従来例を示す折畳み机の全体斜視図である。
【符号の説明】
【００２５】
Ａ  矢印
Ｃ、Ｄ  折り目
Ｅ、Ｆ  部位
Ｔ 折り畳み机
Ｒ  湾曲部
１ 天板
２ ケタ
２１  軸受
３  第一の梁
３１  梁
７  第二の梁
６、９、３１  梁
４  継ぎ手
４１  ピンジョイント
８  ステー
８１  片割れ、８１１  側面端、８１２  側面、８１３  柄部
８２  片割れ、８２２  側面、８２３  柄部
８３、８４  コ字具
８５、８６  ピンジョイント
８７、８８  係止部
８９  ピンジョイント
９０  レバー
１０  ストッパ
１１、１２  面、１３  片
１４  ピンジョイント
１５  ピン
１１１、１１２、１２１  穴
２０  巻きバネ
【図１】
0003168054.tif 000003
【図２】
0003168054.tif 000004
【図３】
0003168054.tif 000005
【図４】
0003168054.tif 000006
【図５】
0003168054.tif 000007
【図６】
0003168054.tif 000008
【図７】
0003168054.tif 000009
【図８】
0003168054.tif 000010
【図９】
0003168054.tif 000011
【図１０】
0003168054.tif 000012
【手続補正書】
【提出日】平成23年3月17日(2011.3.17)
【手続補正１】
【補正対象書類名】実用新案登録請求の範囲
【補正対象項目名】全文
【補正方法】変更
【補正の内容】
【実用新案登録請求の範囲】
【請求項１】
天板（１）の裏面において、この天板（１）の対向する夫々の長辺に沿って左右一対のケタ（２、２）を固設するとともに、
これらのケタ（２、２）の両端近傍に夫々脚（５）を設け、
左右一対の前記ケタ（２、２）の間に第一の梁（３）を架設するとともに、
左右一対の前記脚（５、５）の間に第二の梁（７）を架設し、
かつ、前記第一の梁（３）と前記第二の梁（７）との間にステー（８）を架設することによって、
前記脚（５）を夫々折り畳み可能にした折畳み机であって、
前記ステー（８）は、一方の片割れ（８１）と他方の片割れ（８２）とがピンジョイント（８９）を介して折り曲げ自在に連結され、
このピンジョイント（８９）の部位は前記ステー（８）の曲折部を構成し、
この曲折部にストッパ（１０）を覆設することを特徴とする折畳み机。
【請求項２】
前記ストッパ（１０）には、挿着又は脱着自在にピン（１５）を設けることを特徴とする請求項１記載の折畳み机。